(57)【特許請求の範囲】
【請求項１】
長尺状の第１保護ダクト内に設けられた保持部を介して上下二段配管された各配管材のうち上段の配管材を、ダクト継手、及び傾斜配管アダプタを介して下段側に配管する構造であって、
前記傾斜配管アダプタは、配管方向に沿った両端部にそれぞれ接続口が設けられて、当該傾斜配管アダプタと前記第１保護ダクトとは前記ダクト継手を介して直状に接続され、
前記傾斜配管アダプタは、壁面に固定されるベース体と、当該ベース体に組み付けられて、上段の配管材の傾斜配管部が収容される空間が内部に形成されるカバー体とから成り、
前記第１保護ダクト内の上段の配管材は、そのままの高さを維持してダクト継手内に導かれ、更に傾斜配管アダプタの部分において、当該配管材は、側面視で部分的にわん曲されて上段側から下段側に向けて傾斜配管され、配管材の傾斜配管部の上下端部は、それぞれベース体に対して上下動しないように固定具を介して当該ベース体に固定されていることを特徴とする傾斜配管構造。
【請求項２】
長尺状の第１保護ダクト内に設けられた保持部を介して上下二段配管された各配管材のうち上段の配管材を傾斜配管アダプタを介して下段側に配管する構造であって、
前記傾斜配管アダプタは、配管方向に沿った両端部にそれぞれ接続口が設けられて、当該傾斜配管アダプタと前記第１保護ダクトとは、それぞれに設けられた接続口を介して直接に接続され、
前記傾斜配管アダプタは、壁面に固定されるベース体と、当該ベース体に組み付けられて、上段の配管材の傾斜配管部が収容される空間が内部に形成されるカバー体とから成り、
前記第１保護ダクト内の上段の配管材は、前記傾斜配管アダプタの部分において側面視で部分的にわん曲されて、上段側から下段側に向けて傾斜配管され、配管材の傾斜配管部の上下端部は、それぞれベース体に対して上下動しないように固定具を介して固定されていることを特徴とする傾斜配管構造。
【請求項３】
前記固定具は、固定本体部の片側又は両側に、配管材を上方から押さえるための逆Ｕ字状の配管材押え片が一体に設けられ、前記固定本体部には、２本のビス挿通孔が配管方向に沿って所定間隔をおいて貫通されて、各ビス挿通孔に挿通した各ビスを介して傾斜配管アダプタの傾斜配管面の上下端部又はその延長部に固定される構成であって、
前記固定本体部の底面における前記各ビス挿通孔の外側の略半分の部分、及びその延長面は、配管方向に沿ってテーパー面状に形成されていることを特徴とする請求項１又は２に記載の傾斜配管構造。
【請求項４】
請求項１又は２に記載の傾斜配管構造に使用される傾斜配管アダプタであって、
壁面に固定されるベース体と、当該ベース体に組み付けられて、内部に配管材の傾斜配管部が収容される空間を形成するカバー体とから成り、
前記傾斜配管アダプタは、
配管材を上下二段配管して収容する長尺状の第１保護ダクト又は当該第１保護ダクトに接続される第１ダクト継手に接続可能な第１接続口と、
当該第１接続口よりも高さが低く形成されて、単段配管用の第２保護ダクト又は当該第２保護ダクトに接続される第２ダクト継手に接続可能な第２接続口とを備え、
前記第１保護ダクト内の上段の配管材は、当該傾斜配管アダプタの部分において側面視で部分的にわん曲されて、上段側から下段側に向けて傾斜配管され、配管材の傾斜配管部の上下端部は、それぞれベース体に対して上下動しないように固定具を介して固定されていることを特徴とする傾斜配管アダプタ。
【請求項５】
上下二段配管された各配管材のうち上段側の配管材を下段側に配管可能なように部分的に傾斜配管させて、当該配管材を収容して保護する保護ダクト装置であって、
下段及び上段の各保持部により上下二段に保持された各配管材を収容保護する長尺状の第１保護ダクトと、
前記第１保護ダクト内に上下二段となって収容された各配管材をそのままの高さを保持し、しかも下段の配管材のみは、内部で配管方向が屈曲された状態で収容されるダクト継手と、
前記ダクト継手内に収容された上段の配管材を側面視で部分的にわん曲させて傾斜配管された状態で収容する傾斜配管アダプタと、
前記傾斜配管アダプタ内に部分的に傾斜して収容された上段の配管材の下端部の高さを維持可能な保持部により保持された配管材を単段配管して収容保護する長尺状の第２保護ダクトと、
から成り、
前記第１保護ダクト、ダクト継手、傾斜配管アダプタ及び第２保護ダクトは、それらに設けられた各接続口を介して上記順序で直状に接続され、
前記傾斜配管アダプタは、壁面に固定されるベース体と、当該ベース体に組み付けられて、内部に配管材の傾斜配管部が収容される空間を形成するカバー体とから成り、
前記第１保護ダクト内の上段の配管材は、前記傾斜配管アダプタの部分において側面視で部分的にわん曲されて、上段側から下段側に向けて傾斜配管され、配管材の傾斜配管部の上下端部は、それぞれベース体に対して上下動しないように固定具を介して固定されていることを特徴とする保護ダクト装置。
【請求項６】
前記第１保護ダクトは、
内外の各壁部で形成される一対の第１保持部が並列配置されて、浴室の本管を構成する給水管及び給湯管の２本の配管材を前記一対の第１保持部に保持して並列配管可能なベース体と、
前記ベース体を構成する一対の第１保持部の各内壁部の間に差込まれる差込板部に、追焚用の２本の配管材を並列状態で保持可能な一対の第２保持部が一体に設けられて、前記ベース体に対して所定間隔をおいて配置される管保持具と、
前記ベース体に上下二段となってそれぞれ並列配管された計４本の配管材を覆うようにし、当該ベース体に組み付けられるカバー体と、
から成ることを特徴とする請求項５に記載の保護ダクト装置。
【発明の詳細な説明】
【技術分野】
【０００１】
本発明は、保護ダクト内に保持部によって上下二段に配管された各配管材のうち上段の配管材の途中を部分的に傾斜させて単段配管とする傾斜配管構造、傾斜配管アダプタ、及び保護ダクト装置に関するものである。
【０００２】
本明細書で使用する基本用語を、以下に定義する。「二段配管」とは、保護ダクト内で２本の配管材を壁面に対して異なる高さ位置において上下方向で並列させて上下二段に配管することを指し、「単段配管」とは、前記「二段配管」の反射的概念（対峙概念）であって、保護ダクト内で配管材を単段（一段）に配管する通常の配管を指し、「傾斜配管」とは、配管方向に沿って壁面に対する配管高さが徐々に変化するように、当該壁面に対して配管材を部分的に傾斜させて配管することを指す。また、「並列配管」とは、複数本の配管材を壁面に対して同一配管高さで並列させて配管することを指し、「配管路」とは、保護ダクト、アダプタ或いはダクト継手等の配管材収容部材の内部において配管材が連続して配管される経路を指す。
更に、「傾斜配管アダプタ」とは、「上下二段配管」において上段の配管材を「単段配管」可能にするために、当該配管材を側面視で部分的にわん曲させた傾斜配管部を部分収容するための短尺の配管アダプタを指し、「配管材収容部材」とは、長尺状の保護ダクト、短尺状の傾斜配管アダプタ、ダクト継手等のように、壁面に配管される配管材を収容保護する部材の総称である。
【背景技術】
【０００３】
浴槽に対する給水・給湯を可能にするには、給水管及び給湯管の２本の配管材が必要となり、当該２本の管を並列配管した状態で収容可能な保護ダクトが使用される。一方、給湯設備を備えた浴槽設備において、追焚きを可能にするには、本管用の給水管及び給湯管に加えて、浴槽と給湯設備との間に更に別の２本の管で接続する必要がある。追焚用の２本の管の一方は、浴槽内の温水を給湯設備に戻す管であり、他方の管は、給湯設備に戻された温水を加熱して温度が高めれた温水を浴槽に戻す管である。
【０００４】
特許文献１には、上記した追焚用の２本の管を収容可能な保護ダクト装置が開示されている。特許文献１に開示の保護ダクト装置を用いた配管例は、単管で配管された給水管をＴ字継手を介してＴ字分岐させて、分岐側の分岐給水管を通った水は、給湯器で加熱されて、前記分岐給水管と並列配管された給湯管を通って、前記分岐部まで戻されて、当該分岐部においてエルボを介して直角に曲げられた給湯管は、前記給水管の本管と並列配管され、浴槽に接続される。
【０００５】
このように、単段（一段）となって配管される通常配管においては、給水管又は給湯管が配管される経路である配管路の変更は、Ｔ字継手、エルボ等の継手により行われる。
【０００６】
また、追焚機能を備えた浴槽に接続される計４本の管の配管例として、本発明に係る図６に示されるように、壁面における配管スペースを少なくするために、給水管Ｐ1 と給湯管Ｐ2 とを並列配管させて、ベース体Ｖ1 の一対の第１保持部Ｔ1 に保持させ、当該一対の第１保持部Ｔ1 を構成する二つの内壁部３の間に、配管方向に沿って所定間隔をおいて保持具Ｓの差込板部２１を差し込んで起立させ、当該保持具Ｓに設けられた一対の第２保持部Ｔ2 により追焚用の２本の管Ｐ3,Ｐ4 を互いに並列された状態で、前記給水管Ｐ1 及び給湯管Ｐ2 に対して段状に配管する例がある。即ち、互いに並列配管された管Ｐ1,Ｐ2 と管Ｐ3,Ｐ4 とが上下二段に配管されて、ベース体Ｖ1 とカバー体Ｌ1 とから成る第１保護ダクトＤ1 に収容されている。
【０００７】
二段配管用の第１保護ダクトＤ1 に接続されたダクト継手Ｊ1 の部分において、下段の給水管Ｐ1 及び給湯管Ｐ2 は、各エルボＥ1 ，Ｅ2 を介して直角に曲げられ、上段の追焚用の各管Ｐ3,Ｐ4 は、ダクト継手Ｊ1 内にそのまま導かれて、当該ダクト継手Ｊ1 を出た部分において、上段側から下段側に向けて配管路を変更させて配管させる必要が生ずる。
【先行技術文献】
【特許文献】
【０００８】
【特許文献１】特開２００９−２９３６７２号公報
【発明の概要】
【発明が解決しようとする課題】
【０００９】
本発明の課題は、上下二段配管された各配管材のうち、上段側の配管材を部分的に配管高さを変えながら下段側にスムーズに移行させて、傾斜配管を可能にすることである。
【課題を解決するための手段】
【００１０】
上記の課題を解決するための請求項１の発明は、長尺状の第１保護ダクト内に設けられた保持部を介して上下二段配管された各配管材のうち上段の配管材を、ダクト継手、及び傾斜配管アダプタを介して下段側に配管する構造であって、前記傾斜配管アダプタは、配管方向に沿った両端部にそれぞれ接続口が設けられて、当該傾斜配管アダプタと前記第１保護ダクトとは前記ダクト継手を介して直状に接続され、前記傾斜配管アダプタは、壁面に固定されるベース体と、当該ベース体に組み付けられて、上段の配管材の傾斜配管部が収容される空間が内部に形成されるカバー体とから成り、前記第１保護ダクト内の上段の配管材は、そのままの高さを維持してダクト継手内に導かれ、更に傾斜配管アダプタの部分において、当該配管材は、側面視で部分的にわん曲されて上段側から下段側に向けて傾斜配管され、配管材の傾斜配管部の上下端部は、それぞれベース体に対して上下動しないように固定具を介して当該ベース体に固定されていることを特徴としている。
【００１１】
請求項１の発明によれば、第１保護ダクト内において上下二段配管された各配管材のうち、上段の配管材は、そのままの高さを維持してダクト継手内に導かれて、当該ダクト継手に接続された傾斜配管アダプタの部分において、当該配管材は、側面視で部分的にわん曲されて上段側から下段側に向けてベース体の傾斜配管面に沿って傾斜配管される。即ち、傾斜配管アダプタ内で傾斜配管された配管材のわん曲部（傾斜配管部）においては、壁面からの高さが配管方向に沿って漸次変化していて、配管材のわん曲部の上下端部は、それぞれ上段配管位置、及び下段配管位置と等しい高さとなっている。また、配管材における傾斜配管部の上下端部では、当該配管材は互いに逆方向にわん曲されて、配管材の傾斜配管部の上下端部は、それぞれ上下動しないように固定具を介してベース体に固定されているため、配管材を流れる水流によって、当該配管材の傾斜配管部が、がたついて異音が発生したりしなくなる。なお、ダクト継手から引き出された下段の配管材は、当該ダクト継手内で配管路が屈曲又はわん曲されて、当該ダクト継手に接続された単段配管用の別の保護ダクトに収容される。
【００１２】
このように、傾斜配管アダプタ内に収容された配管材における傾斜配管部の上下端部は、それぞれ上下動しないように固定具を介してベース体に固定されているため、傾斜配管部の傾斜を大きくしても、換言すると、傾斜配管部の配管方向に沿った長さを短くしても、配管材の傾斜配管部をしっかりと固定できる。この結果、傾斜配管アダプタの配管方向に沿った長さを短くできて、壁面における長尺状の保護ダクト以外の配管材収容部材の占有する面積が小さくなって、施工が容易になると共に、配管状態の見栄えもよくなる。
【００１３】
請求項２の発明は、長尺状の第１保護ダクト内に設けられた保持部を介して上下二段配管された各配管材のうち上段の配管材を傾斜配管アダプタを介して下段側に配管する構造であって、前記傾斜配管アダプタは、配管方向に沿った両端部にそれぞれ接続口が設けられて、当該傾斜配管アダプタと前記第１保護ダクトとは、それぞれに設けられた接続口を介して直接に接続され、前記傾斜配管アダプタは、壁面に固定されるベース体と、当該ベース体に組み付けられて、上段の配管材の傾斜配管部が収容される空間が内部に形成されるカバー体とから成り、前記第１保護ダクト内の上段の配管材は、前記傾斜配管アダプタの部分において側面視で部分的にわん曲されて、上段側から下段側に向けて傾斜配管され、配管材の傾斜配管部の上下端部は、それぞれベース体に対して上下動しないように固定具を介して固定されていることを特徴としている。
【００１４】
請求項２の発明は、請求項１の発明において「ダクト継手」か欠落されて、傾斜配管アダプタは第１保護ダクトに直接に接続されている構成が異なるのみであって、第１保護ダクトの上段の配管材は、そのまま傾斜配管アダプタ内に導かれて、側面視で部分的にわん曲された傾斜配管部の上下端部がベース体に対して固定具を介して上下動不能に固定される構成は、請求項１と同一である。
【００１５】
請求項３の発明は、請求項１又は２のいずれかの発明において、前記固定具は、固定本体部の片側又は両側に、配管材を上方から押さえるための逆Ｕ字状の配管材押え片が一体に設けられ、前記固定本体部には、２本のビス挿通孔が配管方向に沿って所定間隔をおいて貫通されて、各ビス挿通孔に挿通した各ビスを介して傾斜配管アダプタの傾斜配管面の上下端部又はその延長部に固定される構成であって、前記固定本体部の底面における前記各ビス挿通孔の外側の略半分の部分、及びその延長面は、配管方向に沿ってテーパー面状に形成されていることを特徴としている。
【００１６】
側面視で部分的にわん曲された配管材の傾斜配管部がベース体の傾斜配管面に配置された状態で、当該傾斜配管部の上下端部を固定具によりベース体に固定する際には、仮わん曲された配管材のわん曲部（傾斜配管部）は、更にわん曲されるか、或いはわん曲が戻されるかのいずれかであるため、配管材押え片により配管材をベース体の傾斜配管面に対して押し付けて、２本のビス挿通孔の一方にビスを挿通して、当該ビスをベース体に螺入しようとすると、配管材のわん曲部の復元力により、ベース体における未固定のビス挿通孔の側がベース面から浮き上がろうとして、スムーズに螺入できないことがある。しかし、請求項３の発明では、固定具の固定本体部に底面における前記各ビス挿通孔の外側の略半分の部分、及びその延長面は、配管方向に沿ってテーパー面状に形成されているため、配管材のわん曲部の復元力が作用しても、固定具の固定本体部は、その外側のテーパー面がベース体に密着した状態でビスが安定して螺入される。そして、他方のビス挿通孔に挿通されたビスをベース体に螺入する際に、固定具は、螺入作業中のビス挿通孔の側に僅かに傾斜させられて、固定具の固定本体部の底面がベース体に密着した状態で、当該固定具は、２本のビスを介してベース体に安定して固定されて、配管材のわん曲部（傾斜配管部）の上下端部は、固定具を介して傾斜配管アダプタのベース体に安定して固定される。
【００１７】
請求項４の発明は、請求項１又は２に記載の傾斜配管構造に使用される傾斜配管アダプタであって、壁面に固定されるベース体と、当該ベース体に組み付けられて、内部に配管材の傾斜配管部が収容される空間を形成するカバー体とから成り、前記傾斜配管アダプタは、配管材を上下二段配管して収容する長尺状の第１保護ダクト又は当該第１保護ダクトに接続される第１ダクト継手に接続可能な第１接続口と、当該第１接続口よりも高さが低く形成されて、単段配管用の第２保護ダクト又は当該第２保護ダクトに接続される第２ダクト継手に接続可能な第２接続口とを備え、前記第１保護ダクト内の上段の配管材は、当該傾斜配管アダプタの部分において側面視で部分的にわん曲されて、上段側から下段側に向けて傾斜配管され、配管材の傾斜配管部の上下端部は、それぞれベース体に対して上下動しないように固定具を介して固定されていることを特徴としている。
【００１８】
請求項４の発明は、請求項１又は２の発明を「傾斜配管アダプタ」の面から把握して表現したものであって、傾斜配管アダプタは、第１接続口を介して、第１保護ダクト又は当該第１保護ダクトに接続される第１ダクト継手に接続されると共に、前記第１接続口よりも高さの低い第２接続口を介して、第２保護ダクト又は当該第２保護ダクトに接続される第２ダクト継手に接続される。請求項４の発明の作用は、上記した請求項１又は２の各発明の作用と実質的に同一である。
【００１９】
請求項５の発明は、上下二段配管された各配管材のうち上段側の配管材を下段側に配管可能なように部分的に傾斜配管させて、当該配管材を収容して保護する保護ダクト装置であって、下段及び上段の各保持部により上下二段に保持された各配管材を収容保護する長尺状の第１保護ダクトと、前記第１保護ダクト内に上下二段となって収容された各配管材をそのままの高さを保持し、しかも下段の配管材のみは、内部で配管方向が屈曲された状態で収容されるダクト継手と、前記ダクト継手内に収容された上段の配管材を側面視で部分的にわん曲させて傾斜配管された状態で収容する傾斜配管アダプタと、前記傾斜配管アダプタ内に部分的に傾斜して収容された上段の配管材の下端部の高さを維持可能な保持部により保持された配管材を単段配管して収容保護する長尺状の第２保護ダクトとから成り、前記第１保護ダクト、ダクト継手、傾斜配管アダプタ及び第２保護ダクトは、それらに設けられた各接続口を介して上記順序で直状に接続され、前記傾斜配管アダプタは、壁面に固定されるベース体と、当該ベース体に組み付けられて、内部に配管材の傾斜配管部が収容される空間を形成するカバー体とから成り、前記第１保護ダクト内の上段の配管材は、前記傾斜配管アダプタの部分において側面視で部分的にわん曲されて、上段側から下段側に向けて傾斜配管され、配管材の傾斜配管部の上下端部は、それぞれベース体に対して上下動しないように固定具を介して固定されていることを特徴としている。
【００２０】
請求項５の発明は、請求項１の発明に対して、傾斜配管アダプタの低い側の接続口に接続される単段配管用の「第２保護ダクト」が付加され、請求項１の発明を「保護ダクト装置」の面から把握して表現したものであって、その作用は、請求項１の発明の作用と実質的に同一である。
【００２１】
請求項６の発明は、請求項５の発明において、前記第１保護ダクトは、内外の各壁部で形成される一対の第１保持部が並列配置されて、浴室の本管を構成する給水管及び給湯管の２本の配管材を前記一対の第１保持部に保持して並列配管可能なベース体と、前記ベース体を構成する一対の第１保持部の各内壁部の間に差込まれる差込板部に、追焚用の２本の配管材を並列状態で保持可能な一対の第２保持部が一体に設けられて、前記ベース体に対して所定間隔をおいて配置される管保持具と、前記ベース体に上下二段となってそれぞれ並列配管された計４本の配管材を覆うようにし、当該ベース体に組み付けられるカバー体とから成ることを特徴としている。
【００２２】
請求項６の発明によれば、管保持具の使用により、互いに並列配管された計４本の配管材を上下二段配管することが可能となる。
【発明の効果】
【００２３】
本発明によれば、第１保護ダクト内において上下二段配管された各配管材のうち、上段の配管材は、そのままの高さを維持してダクト継手内に導かれるか、或いは直接に傾斜配管アダプタに導かれて、当該傾斜配管アダプタの部分において、当該配管材は、側面視で部分的にわん曲されて上段側から下段側に向けてベース体の傾斜配管面に沿って傾斜配管される。即ち、傾斜配管アダプタのベース体の傾斜配管面に沿って傾斜配管された配管材のわん曲部（傾斜配管部）においては、壁面からの高さが配管方向に沿って漸次変化していて、配管材のわん曲部の上下端部は、それぞれ上段配管位置、及び下段配管位置と等しい高さとなる。即ち、上段側の配管材は、傾斜配管アダプタの部分で徐々に高さ変換されて、下段側の配管高さに移行する配管が可能となる。
【図面の簡単な説明】
【００２４】
【図１】第１〜第３の各保護ダクトＤ1 〜Ｄ3 の各ベース体Ｖ1 〜Ｖ3 がＴ字ダクト継手Ｊ4 及び傾斜配管アダプタＡ0 の各ベース体Ｖ4 ，Ｖ0 を介して壁面Ｗに固定された状態の斜視図である。
【図２】第１及び第２の各保護ダクトＤ1 ，Ｄ2 の各ベース体Ｖ1 ，Ｖ2 に下段側の給水管Ｐ1 及び給湯管Ｐ2 が直角に屈曲されて保持された状態の斜視図である。
【図３】上段側の追焚用の２本の管Ｐ3 ，Ｐ4 が傾斜配管アダプタＡ0 の部分で下段側に向けて傾斜配管されて、傾斜配管アダプタＡ0 及び第２保護ダクトＤ2 の各ベース体Ｖ0 ，Ｖ2 で保持された状態の斜視図である。
【図４】第１〜第３の各保護ダクトＤ1 〜Ｄ3 の各ベース体Ｖ1 〜Ｖ3 に各カバー体Ｌ1 〜Ｌ3 が組み付けられた状態の斜視図である。
【図５】傾斜配管アダプタＡ0 、異高アダプタＡ5 及びＴ字ダクト継手Ｊ4 の各ベース体Ｖ0 ，Ｖ5 ，Ｖ4 に各カバー体Ｌ0 ，Ｌ5 ，Ｌ4 が組み付けられて、施工が終了した状態の斜視図である。
【図６】（ａ）は、保持具Ｓの斜視図であり、（ｂ）は、計４本の管Ｐ1 〜Ｐ4 が二段配管された第１保護ダクトＤ1 の横断面図である。
【図７】（ａ），（ｂ）は、それぞれ第２及び第３の各保護ダクトＤ2 ，Ｄ3 の横断面図である。
【図８】傾斜配管アダプタＡ0 を構成するベース体Ｖ0 とカバー体Ｌ0 の分解斜視図である。
【図９】（ａ），（ｂ）は、それぞれ固定具Ｆを異なる方向から見た斜視図であり、（ｃ）は、その縦断面図である。
【図１０】傾斜配管アダプタＡ0 のベース体Ｖ0 に傾斜配管された管Ｐ3 ，Ｐ4 の傾斜方向の上下端部がそれぞれ固定具Ｆで固定された状態の斜視図である。
【図１１】（ａ），（ｂ）は、それぞれ図９のＸ1 −Ｘ1 線及びＸ2 −Ｘ2 線の断面図である。
【図１２】（ａ），（ｂ）は、傾斜配管アダプタＡ0 のベース体Ｖ0 の低い側の第２固定面４７に固定具Ｆを介して管Ｐ1 ，Ｐ2 を固定する前後の縦断面図である。
【図１３】傾斜配管アダプタＡ0 とＴ字ダクト継手Ｊ4 及び第２保護ダクトＤ2 の接続部の部分断面図である。
【図１４】第１及び第２の各保護ダクトＤ1 ，Ｄ2 が傾斜配管アダプタＡ0 を介して接続されて、第１保護ダクトＤ1 の上段に配管された２本の管Ｐ3 ，Ｐ4 が傾斜配管アダプタＡ0 の部分で下段位置に変換される配管例の斜視図である。
【図１５】同様の縦断面図である。
【図１６】傾斜配管アダプタＡ0 を構成する別のベース体Ｖ0'の縦断面図である。
【発明を実施するための形態】
【００２５】
以下、複数の実施例を挙げて、本発明について更に詳細に説明する。
【実施例１】
【００２６】
図１〜図５には、長尺状の第１〜第３の各保護ダクトＤ1 〜Ｄ3 並びに短尺状の傾斜配管アダプタＡ0 、Ｔ字ダクト継手Ｊ4 及び異高アダプタＡ5 の各配管材収容部材を使用して、並列配管状態で二段配管されて計４本の管Ｐ1 〜Ｐ4 のうち、上段の各管Ｐ3 ，Ｐ4 を上段側から下段側に傾斜配管すると共に、下段の２本の管Ｐ1 ，Ｐ2 を屈曲配管する状態が施工順に斜視図で示されている。第１〜第３の各保護ダクトＤ1 〜Ｄ3 、Ｔ字ダクト継手Ｊ4 、異高アダプタＡ5 及び傾斜配管アダプタＡ0 の各配管材収容部材は、いずれも樹脂成形品であって、壁面Ｗにビスを介して固定されるベース体Ｖ1 〜Ｖ5 ，Ｖ0 と、当該ベース体Ｖ1 〜Ｖ5 ，Ｖ0 に組み付けられて内部に配管空間を形成するカバー体Ｌ1 〜Ｌ5 ，Ｌ0 とから成って、各配管材収容部材の配管路に沿った開口端部は、いずれも隣接する配管材収容部材どうしを接続する接続口となっており、配管材を直状に配管する配管材収容部材では、配管路の両端に２つの接続口を備えており、分岐配管に使用されるＴ字ダクト継手Ｊ4 のみが、３つの接続口を備えている。
【００２７】
第１保護ダクトＤ1 は、図６に示されるように、計４本の管Ｐ1 〜Ｐ4 を横方向に並列配管した状態で上下二段に配管して保護するための配管材収容部材であって、ベース体Ｖ1 と、当該ベース体Ｖ1 に組み付けられて内部に管収容空間Ｋ1 を形成するカバー体Ｌ1 とから成る。ベース体Ｖ1 には、給水管Ｐ1 及び給湯管Ｐ2 を横方向に並列配管可能なように左右一対の第１保持部Ｔ1 が一体に設けられている。各第１保持部Ｔ1 は、横断面視で左右対称に配置されて、いずれもベース板１に一体に形成された弾性変形可能な外壁部２と内壁部３とで構成され、相隣接する内壁部３の間には、保持具Ｓの差込板部２１が差し込まれる差込空間４が形成されている。第１保持部Ｔ1 を構成する外壁部２と内壁部３との間の空間は、管保持空間５となっていると共に、外壁部２と内壁部３の各先端部の間の開口は、管挿入開口６となっている。外壁部２の内側面には、管保持空間５に収容される給水管Ｐ1 又は給湯管Ｐ2 の斜下端部を保持する保持片７が全長に亘って形成されている。一対の第１保持部Ｔ1 の各内壁部３は、内外二重壁構造になっていて、変形剛性の高い起立壁部３ａの上端部が１８０°だけわん曲されて変形剛性が低くて弾性変形し易い保持壁部３ｂとなっていて、各管Ｐ1 ，Ｐ2 は、外壁部２と、内壁部３の保持壁部３ｂとで保持される。対向配置された各起立壁部３ａの間の空間が前記差込空間４となっている。対向配置された起立壁部３ａの対向面には、複数の摩擦突条８（図１２参照）が長手方向に連続して形成されている。
【００２８】
ベース体Ｖ1 にカバー体Ｌ1 を組み付けて形成される管収容空間Ｋ1 の高さは、横方向に並列配管された状態で、上下二段に配管される計４本の管Ｐ1 〜Ｐ4 を収容可能な高さを有している。ベース体Ｖ1 の外壁部２の下端部の外側は、凹状に形成されて嵌合凹部９となっていて、カバー体Ｌ1 の対向側板部１１の開口に近い部分の内側には、ベース体Ｖ1 の嵌合凹部９に対して嵌合されて、ベース体Ｖ1 とカバー体Ｌ1 との組付けを可能とする嵌合凸部１２が形成されている。
【００２９】
保持具Ｓは、第１保護ダクトＤ1 のベース体Ｖ1 に左右並列配管された給水管Ｐ1 及び給湯管Ｐ2 に対して、左右並列配管された別の２本の管Ｐ3 ，Ｐ4 を上下二段に配管するための部材であって、差込板部２１の先端部に保持板部２２が一体に形成され、当該保持板部２２の幅方向の両端部には、パイプ体の周方向の一部を長手方向に連続して欠落された形態の弾性変形可能な左右一対の第２保持部Ｔ2 が一体に設けられている。各第２保持部Ｔ2 の管挿入開口２３は、直上に対してそれぞれ外側を向いて配置されている。前記差込板部２１の基端部には、当該差込板部２１を第１保護ダクトＤ1 のベース体Ｖ1 の差込空間４に差し込んだ場合に抜止めの作用を果す抜止突条２４が形成されており、前記差込板部２１の両側面には、前記差込状態において、第１保護ダクトＤ1 のベース体Ｖ1 の各起立壁部３ａとの間で摩擦作用を果して抜止防止機能を奏する摩擦突条２５が形成されている。
【００３０】
そして、ベース体Ｖ1 の左右一対の第１保持部Ｔ1 に給水管Ｐ1 及び給湯管Ｐ2 をそれぞれ保持させた状態で、当該ベース体Ｖ1 の各起立壁部３ａの間の差込空間４に保持具Ｓの差込板部２１を差し込んで、その保持板部２２を内壁部３の上端のわん曲部に当接させることにより、ベース体Ｖ1 に対してその長手方向に沿って所定間隔をおいて複数の保持具Ｓを配置させて、各保持具Ｓの左右一対の第２保持部Ｔ2 により２本の管Ｐ3 ，Ｐ4 を並列配管させると、計４本の管Ｐ1 〜Ｐ4 は、左右並列配管された２本の管Ｐ1 ，Ｐ2 と、同様の２本の管Ｐ3 ，Ｐ4 とが上下２段に配置される。即ち、並列配管された下段の２本の管Ｐ1 ，Ｐ2 及び上段の２本の管Ｐ3 ，Ｐ4 の壁面Ｗからの各配管高さは、それぞれ（Ｈ1 ），（Ｈ2 ）である。また、上段の２本の管Ｐ3 ，Ｐ4 は、下段の２本の管Ｐ1 ，Ｐ2 よりも外径が小さくて、しかも上段の２本の管Ｐ3 ，Ｐ4 の中心間距離（Ｎ2 ) は、下段の２本の管Ｐ1 ，Ｐ2 の中心間距離（Ｎ1)よりも短くなっている。
【００３１】
第２保護ダクトＤ2 は、図 7（ａ）に示されるように、傾斜配管アダプタＡ0 により配管位置を上段から下段に変換された２本の管Ｐ3 ，Ｐ4 を収容するための配管材収容部材であって、ベース体Ｖ2 とカバー体Ｌ2 とから成り、前記第１保護ダクトＤ1 において、カバー体Ｌ1 の高さを低くしたものである。即ち、第２保護ダクトＤ2 のベース体Ｖ2 は、第１保護ダクトＤ1 のベース体Ｖ1 と同一構成である。そして、壁面Ｗからの配管高さが（Ｈ2)である２本の管Ｐ3 ，Ｐ4 の中心間距離（Ｎ2)は、第１保護ダクトＤ1 の下段に配管された２本の管Ｐ1 ，Ｐ2 の中心間距離（Ｎ1)よりも短いために、ベース体Ｖ2 の各内壁部３を構成する起立壁部３ａ及び保持壁部３ｂを、それぞれ当該ベース体Ｖ1 の幅方向の中心側に向けて弾性変形させる形態で保持される。なお、第２保護ダクトＤ2 は、管Ｐ1 ，Ｐ2 を保持のためであって、当該第２保護ダクトＤ2 により管Ｐ1 ，Ｐ2 よりも外径の小さな管Ｐ3 ，Ｐ4 を保持する場合には、コの字形のクリップ１３を使用して、当該クリップ１３と内壁部３との間で左右一対の管Ｐ3 ，Ｐ4 を保持すると、当該保持が安定する。
【００３２】
第３保護ダクトＤ3 は、図 7（ｂ）に示されるように、第１保護ダクトＤ1 の配管路に対してＴ字ダクト継手Ｊ4 により９０°だけ屈曲された配管路に、同一配管高さ（Ｈ1)を保持して配管される２本の管Ｐ1 ，Ｐ2 を保持する部材であり、前記第２保護ダクトＤ2 と同一構成であって、ベース体Ｖ3 とカバー体Ｌ3 とから成る。即ち、２本の管Ｐ1 ，Ｐ2 は、それぞれ第１保持部Ｔ1 を構成する外壁部２と内壁部３とで保持される。
【００３３】
Ｔ字ダクト継手Ｊ4 は、図１〜図５に示されるように、下段の２本の管Ｐ1 ，Ｐ2 における９０°屈曲された部分、及び上段の２本の管Ｐ1 ，Ｐ2 における第１保護ダクトＤ1 から出た部分を、上下二段にして部分的に収容するための配管材収容部材であって、壁面Ｗに固定されるベース体Ｖ4 と、当該ベース体Ｖ4 に組み付けられるカバー体Ｌ4 とから成る。ベース体Ｖ4 及びカバー体Ｌ4 は、平面視でＴ字状をなしていて、カバー体Ｌ4 の第１配管方向Ｑ1 に沿った部分の内側面には、一対一組となった二組の係止爪Ｇ41が設けられていると共に、カバー体Ｌ4 の第２配管方向Ｑ2 に沿った部分の内側面には、一対一組の係止爪Ｇ41が設けられている。一方、ベース体Ｖ4 の周縁部における接続口Ｃ41，Ｃ42，Ｃ43（図４参照）を除く部分には、立壁部３１が設けられ、当該立壁部３１における前記カバー体Ｌ4 の計三組の係止爪Ｇ41に対応する部分には、ベース体Ｖ4 に対してカバー体Ｌ4 を組み付ける際に、前記係止爪Ｇ41と係止される係止溝Ｇ42（図１参照）が形成されている。なお、図４及び図５において、３２は、カバー体Ｌ4 の外側において、その内側の係止爪Ｇ41の位置が判別できるように、当該カバー体Ｌ4 の外側面における係止爪Ｇ41が形成されている部分に設けられた係止爪位置表示部を示す。
【００３４】
異高アダプタＡ5 は、図４及び図５に示されるように、Ｔ字ダクト継手Ｊ4 の接続口Ｃ43と、当該Ｔ字ダクト継手Ｊ4 よりも高さの低い第３保護ダクトＤ3 とを接続するための配管材収容部材であって、壁面Ｗに固定されるベース体Ｖ5 と、当該ベース体Ｖ5 に組み付けられるカバー体Ｌ5 とから成る。カバー体Ｌ4 は、高さの異なる二つの配管材収容部材であるＴ字ダクト継手Ｊ4 と第３保護ダクトＤ3 とを接続可能なように、第２配管方向Ｑ2 に沿って高さが漸次変化している。即ち、カバー体Ｌ5 におけるＴ字ダクト継手Ｊ4 の接続口Ｃ43に接続される接続口Ｃ51の高さは、カバー体Ｌ5 における第３保護ダクトＤ3 に接続される接続口Ｃ52の高さよりも低くなっている。カバー体Ｌ5 の対向側板部の内側面には、一対一組の係止爪Ｇ51が設けられて、ベース体Ｖ5 の立壁部３３（図２参照）におけるカバー体Ｌ5 の係止爪Ｇ51に対応する部分には、当該ベース体Ｖ5 にカバー体Ｌ5 を組み付けるための一対の係止溝Ｇ52が対向して形成されている。また、異高アダプタＡ5 のカバー体Ｌ5 におけるＴ字ダクト継手Ｊ4 との接続側には、正面視で逆Ｕ字状をした大きさの異なる２つの接続片３４，３５が段差状となって設けられている。
【００３５】
次に、図８〜図１３を参照して、第１保護ダクトＤ1 の上段に保持された管Ｐ3 ，Ｐ4 を、下段の高さまで傾斜配管させるための傾斜配管アダプタＡ0 について説明する。傾斜配管アダプタＡ0 は、壁面Ｗに固定されるベース体Ｖ0 と、当該ベース体Ｖ0 に組み付けられるカバー体Ｌ0 とで構成される。ベース体Ｖ0 は、ベース板部４１の幅方向の両端部を除く部分に傾斜台部４２が一体に設けられて、当該傾斜台部４２の上面の傾斜配管面Ｍは、図８及び図１２に示されるように、第１配管方向Ｑ1 に沿った中央部の傾斜面４３の両端に互いに逆方向にわん曲されたわん曲接続面４４，４５を介して第１及び第２の固定面４６，４７がそれぞれ連続して設けられた構成である。第１及び第２の固定面４６，４７は、固定具Ｆを介して管Ｐ3 ，Ｐ4 のわん曲部の上下端の各延長部をベース体Ｖ0 に対して固定する平面部である。
【００３６】
ベース体Ｖ0 の第１及び第２の各固定面４６，４７には、固定具Ｆをビス固定するための２本のビスＢ1 を螺入させる一対のビス下孔４８が第１配管方向Ｑ1 に沿って所定間隔をおいて形成され、当該一対のビス下孔４８の両側の幅方向の両端部には、固定具Ｆの管押え片６２の先端部を部分的に挿入するための押え片挿入孔４９が第１配管方向Ｑ1 に沿って形成されている。また、ベース体Ｖ0 の傾斜面４３の傾斜方向、及び幅方向の双方の中央部には、当該ベース体Ｖ0 を壁面Ｗにビス固定するためのビスＢ2 の頭部を挿入可能な頭部挿入孔５１が形成され、当該頭部挿入孔５１の下端部には、前記ビスＢ2 を挿通させるビス挿通孔５２が貫通されている。また、ベース板部４１の第１配管方向Ｑ1 に沿った両端部には、前記ベース体Ｖ0 を壁面に固定するための別のビス（図示せず）を挿通させるための一対一組となった二組のビス挿通孔５３，５４がそれぞれ形成されている。ベース板部４１の計４つの各コーナー部は、いずれも箱状に形成されて、箱状に形成された部分を構成する第１配管方向Ｑ1 に沿った立壁板部５８には、カバー体Ｌ0 の二組の係止爪Ｇ01と係止される二組の係止溝Ｇ02がそれぞれ形成されている。また、傾斜台部４２は、壁面Ｗに対する接地面の側が開口した箱状をなしていて、幅方向の中央部には、補強リブ３６が設けられ、当該補強リブ３６の上端部は、前記ビス下孔４８を形成可能にするために厚肉部３７となっている。なお、図８において、３８は、ベース体Ｖ1 の傾斜配管面Ｍの幅方向の中央部、傾斜台部４２の両端面、ベース板部４１の上面及び端面に形成された接続及び配管の案内線であり、３９は、傾斜配管アダプタＡ0 のベース体Ｖ0 に対して第２保護ダクトＤ2 のベース体Ｖ2 の幅方向の位置決めを行うための位置決め片を示す。
【００３７】
カバー体Ｌ0 における第１配管方向Ｑ1 に沿った両端の開口は、それぞれＴ字ダクト継手Ｊ4 の接続口Ｃ42及び第２保護ダクトＤ2 の長手方向の一端の接続口Ｃ21（図４参照）とそれぞれ接続される接続口Ｃ01，Ｃ02となっている。カバー体Ｌ0 の接続口Ｃ01には、正面視でＵ字状をした２種類の接続片５５，５６が段差状となって形成されているが、他方の接続口Ｃ02には、当該接続片は形成されておらず、第１配管方向Ｑ1 に沿って所定長の部分が、第２保護ダクトＤ2 の外側に外嵌されることにより接続される。カバー体Ｌ0 の対向側板部の内側面における組付開口５７に臨む部分には、前記ベース体Ｖ0 に設けられた一対一組となった二組の係止溝Ｇ02に対して係止される二組の係止爪Ｇ01が設けられている。
【００３８】
傾斜配管アダプタＡ0 のベース体Ｖ0 に対して２本の管Ｐ3 ，Ｐ4 を固定するための固定具Ｆが図９に示されている。固定本体部６１は、管Ｐ3 ，Ｐ4 の外径に対応する高さを有するブロック状をなしていて、第１配管方向Ｑ1 に沿って配置され、当該固定本体部６１の両側には、当該固定本体部６１の両側に配置された２本の管Ｐ3 ，Ｐ4 を上方から押えるための逆Ｕ字状をした管押え片６２が一体に設けられている。固定本体部６１の底面６１ａに近い部分には、第１配管方向Ｑ1 に沿って所定間隔をおいて一対のビス挿通孔６３が貫通されている。各ビス挿通孔６３には、ビスＢ1 の頭部を挿入する頭部挿入孔６４がビス挿通孔６３と同心となって所定深さまで形成されている。固定本体部６１の底面６１ａにおける前記ビス挿通孔６３の外側の略半分、及びその延長面は、第１配管方向Ｑ1 に沿って傾斜角度（θ）のテーパー面６１ｂに形成されている。なお、図９において、６５，６６は、左右一対の管押え片６２を補強するための内外のリブを示し、６７は、前後一対のビス挿通孔６３及び頭部挿入孔６４の間に設けられた肉盗み孔を示す。
【００３９】
管Ｐ3 ，Ｐ4 の各傾斜配管部Ｐ3a，Ｐ4aは、側面視でわん曲するように予め「曲がり癖」が付けられていて、傾斜配管アダプタＡ0 のベース体Ｖ0 の傾斜配管面Ｍに配管された管Ｐ3 ，Ｐ4 の上下端部の各延長部は、それぞれベース体Ｖ1 の第１及び第２の固定面４６，４７に配置されて、それぞれ固定具Ｆによりベース体Ｖ1 に固定される。即ち、図１０〜図１２に示されるように、固定具Ｆの各管押え片６２によって各管Ｐ3 ，Ｐ4 を上方から押えて、各管押え片６２の先端部をベース体Ｖ0 の各押え片挿入孔４９に挿入した状態で、固定本体部６１の各ビス挿通孔６３に挿通されたビスＢ1 を、ベース体Ｖ0 に形成された各ビス下孔４８に螺入させ、ベース体Ｖ0 に対して固定具Ｆを固定することにより、当該一対の固定具Ｆを介して管Ｐ3 ，Ｐ4 の各傾斜配管部Ｐ3a，Ｐ4aがベース体Ｖ0 に固定される。
【００４０】
ベース体Ｖ0 に対して一対のビスＢ1 を介して固定具Ｆを固定する際に、図１２（ａ）に示されるように、固定本体部６１の一方のビス挿通孔６３にビスＢ1 を挿通してベース体Ｖ0 に螺入した場合に、「曲がり癖」が付けられた管Ｐ3 ，Ｐ4 の各傾斜配管部Ｐ3a，Ｐ4aによって、固定具Ｆの固定本体部６１における第１配管方向Ｑ1 の一端部が側面視においてベース体Ｖ1 から浮き上がってしまうことがある。この場合においては、固定本体部６１の底面６１ａの第１配管方向Ｑ1 に沿った両端部は、ビス挿通孔６３の下端面の略半分を含んだテーパー面６１ｂとなっているために、最初のビスＢ1 の螺入後においては、固定本体部６１が側面視で傾斜するが、次のビスＢ1 を螺入すると、図１２（ｂ）に示されるように、管Ｐ3 ，Ｐ4 の各傾斜配管部Ｐ3a，Ｐ4aを強制的にわん曲変形させて、固定本体部６１の底面６１ａの全面がベース体Ｖ0 の第２固定面４７に密着した状態で、ベース体Ｖ0 に対して固定具Ｆが固定される。各管Ｐ3 ，Ｐ4 の各傾斜配管部Ｐ3a，Ｐ4aは、ベース体Ｖ0 とカバー体Ｌ0 とで形成される管収容空間Ｋ0 に収容される。
【００４１】
上記したように、傾斜配管アダプタＡ0 内に収容された管Ｐ3 ，Ｐ4 における傾斜配管部Ｐ3a，Ｐ4aの上下端部は、それぞれ上下動しないように固定具Ｆを介してベース体Ｖ0 に固定されているため、傾斜配管部Ｐ3a，Ｐ4aの傾斜を大きくできる。換言すると、傾斜配管部Ｐ3a，Ｐ4aの第１配管方向Ｑ1 に沿った長さ（Ｎ0)を短くしても、管Ｐ3 ，Ｐ4 における傾斜配管部Ｐ3a，Ｐ4aをしっかりと固定できる。この結果、傾斜配管アダプタＡ0 の第１配管方向Ｑ1 に沿った長さを短くできて、壁面Ｗにおける当該傾斜配管アダプタＡ0 の占有する面積が小さくなって、施工が容易になると共に、配管状態の見栄えもよくなる。
【００４２】
特に、配管材として「架橋ポリエチレン管」或いは「ポリブテン管」を使用した場合には、管としての剛性が高い。上段に配管される配管材（管Ｐ3 ，Ｐ4 ）は、傾斜配管アダプタＡ0 における配管材の傾斜角度（θ0 ）に対応した「曲がり癖」が予め付けてあるが、この「曲がり癖」は、傾斜配管部の長さ（Ｎ0 ）を含めて上記傾斜角度（θ0 ）に完全に一致していることは少ない。このため、配管時には、予め「曲がり癖」が付けられた剛性の高い配管材をいずれかの方向に更に曲げる必要性が生じ、この場合における曲げ（再度の曲げ）の程度は、当初の「曲がり癖」を付ける場合に比較して小さいために、「再度の曲げ」は、復元力により「曲がり癖」が付けられた状態、或いはこれにに近い状態に復元されてしまう。しかし、本発明では、配管材の傾斜配管部の上下端部は、それぞれ固定具Ｆ及び一対のビスＢ1 により、傾斜配管アダプタＡ0 のベース体Ｖ0 の第１及び第２の各固定面４６，４７に大きな力で確実に固定できるため、配管材の傾斜配管部は、上記した「再度の曲げ」を維持したままで、ベース体Ｖ0 に固定可能である。
【００４３】
また、図１〜図５に示されるように、第１保護ダクトＤ1 の上段に配管された２本の管Ｐ3 ，Ｐ4 は、平面視では直線状に配管されて、傾斜配管アダプタＡ0 の各接続口Ｃ01，Ｃ02は、図１３に示されるように、Ｔ字ダクト継手Ｊ4 の接続口Ｃ42及び第２保護ダクトＤ2 の接続口Ｃ21にそれぞれ接続される。即ち、傾斜配管アダプタＡ0 の一方の接続口Ｃ01では、サイズの大きな接続片５５の外側に、Ｔ字ダクト継手Ｊ4 のカバー体Ｌ4 が無段差状となって外嵌されて接続され、他方の接続口Ｃ02では、第２保護ダクトＤ2 のカバー体Ｌ2 の外側に、傾斜配管アダプタＡ0 のカバー体Ｌ0 が外嵌される。
【００４４】
上記において、計４本の管Ｐ1 〜Ｐ4 を二段配管して保持する第１保護ダクトＤ1 、下段の２本の管Ｐ1 ，Ｐ2 の９０°の屈曲部、及び上段の２本の管Ｐ3 ，Ｐ4 の直線部の一部を収容するＴ字ダクト継手Ｊ4 、上段の２本の管Ｐ3 ，Ｐ4 の一部が部分的にわん曲された傾斜配管部Ｐ3a，Ｐ4aを収容する傾斜配管アダプタＡ0 、傾斜配管部Ｐ3a，Ｐ4aによって下段位置に単段配管された２本の管Ｐ3 ，Ｐ4 を収容する第２保護ダクトＤ2 、第１保護ダクトＤ1 に対して直角に配置されて、Ｔ字ダクト継手Ｊ4 で分岐された下段の２本の管Ｐ1 ，Ｐ2 のみを収容する第３保護ダクトＤ3 及び当該第３保護ダクトＤ3 とＴ字ダクト継手Ｊ4 とを連結する異高アダプタＡ5 について、その構成及び機能について詳細に説明したので、以下においては、図１〜図５を参照して、上記した各配管材収容部材を用いて、壁面Ｗにおいて、第１保護ダクトＤ1 内に二段配管された上段の２本の管Ｐ3 ，Ｐ4 を側面視で部分的にわん曲させることにより、下段位置に単段配管する配管例を施工順に説明する。
【００４５】
まず、図１に示されるように、上記した各配管材収容部材を構成する各ベース体Ｖ0 ，Ｖ1 〜Ｖ5 をビスを使用して壁面に固定する。即ち、第１保護ダクトＤ1 のベース体Ｖ1 、Ｔ字ダクト継手Ｊ4 のベース体Ｖ4 の各接続口Ｃ41，Ｃ42、傾斜配管アダプタＡ0 のベース体Ｖ0 及び第２保護ダクトＤ2 のベース体Ｖ2 を当該順序で第１配管方向Ｑ1 に沿って直線的に接続して配置すると共に、Ｔ字ダクト継手Ｊ4 のベース体Ｖ4 の接続口Ｃ43、異高アダプタＡ5 のベース体Ｖ5 及び第３保護ダクトＤ3 のベース体Ｖ3 を当該順序で第２配管方向Ｑ2 に沿って直線的に配置する。
【００４６】
次に、図２に示されるように、エルボＥ1 ，Ｅ2 を介して９０°屈曲された給水管Ｐ1 及び給湯管Ｐ2 の互いに直交する各直線部分を、それぞれ第１及び第３の各保護ダクトＤ1 ，Ｄ3 の各ベース体Ｖ1 ，Ｖ3 の各第１保持部Ｔ1 でそれぞれ保持させる。これにより、各管Ｐ1 ，Ｐ2 のエルボＥ1 ，Ｅ2 の部分は、Ｔ字ダクト継手Ｊ4 のベース体Ｖ4 の上に配置される。そして、第１保護ダクトＤ1 のベース体Ｖ1 の各第１保持部Ｔ1 に２本の管Ｐ1 ，Ｐ2 の第１配管方向Ｑ1 に沿った直線部を保持させた後に、ベース体Ｖ1 に設けられた各内壁部３の間の差込空間４に保持具Ｓの差込板部２１を差し込んで、当該ベース体Ｖ1 に対して第１配管方向Ｑ1 に沿って所定間隔をおいて必要数の保持具Ｓを起立姿勢で取付ける。
【００４７】
次に、図２及び図３に示されるように、追焚用の２本の管Ｐ3 ，Ｐ4 を第１配管方向Ｑ1 に沿って配管する。追焚用の２本の管Ｐ3 ，Ｐ4 は、第１保護ダクトＤ1 の部分では二段配管の上段に配管され、Ｔ字ダクト継手Ｊ4 の部分では、そのままの高さを維持して導かれ、傾斜配管アダプタＡ0 の部分において、上段位置から下段位置への高さ方向に沿った配管位置が変換され、第２保護ダクトＤ2 の部分では、下段位置において単段配管される。従って、２本の管Ｐ3 ，Ｐ4 は、傾斜配管アダプタＡ0 のベース体Ｖ0 により定められる傾斜角度（θ0)及び傾斜部の長さ（Ｎ0)〔図１２（ｂ）参照〕に対応するように、その一部が予めわん曲されて「曲がり癖」が付けられた傾斜配管部Ｐ3a，Ｐ4aが形成されている。
【００４８】
そして、２本の管Ｐ3 ，Ｐ4 の傾斜配管部Ｐ3a，Ｐ4aを挟んでその一方の各直線部を第１保護ダクトＤ1 のベース体Ｖ1 に保持された複数の保護具Ｓの第２保持部Ｔ2 で保持させると共に、その他方の各直線部を第２保護ダクトＤ2 の第１保持部Ｔ1 に保持させて、各傾斜配管部Ｐ3a，Ｐ4aを傾斜配管アダプタＡ0 のベース体Ｖ0 上に配置させる。この状態で、段落「００４０」〜「００４２」で述べたようにして、傾斜配管アダプタＡ0 のベース体Ｖ0 に段差を有して設けられた第１及び第２の各固定面４６，４７において、各管Ｐ3 ，Ｐ4 における傾斜配管部Ｐ3a，Ｐ4aに近い壁面Ｗに対して平行な部分を固定具Ｆを介してベース体Ｖ0 に固定すると、配管作業は終了する。これにより、各管Ｐ3 ，Ｐ4 の傾斜配管部Ｐ3a，Ｐ4aは、長さ（Ｎ0)が短くて、しかも傾斜角度（θ0)が大きいにもかかわらず、当該傾斜配管部Ｐ3a，Ｐ4aをベース体Ｖ0 に強固に固定できる。
【００４９】
最後に、各配管材収容部材の各ベース体Ｖ0,Ｖ1 〜Ｖ5 に対してカバー体Ｌ0,Ｌ1 〜Ｌ5 を組み付ける。まず、図５に示されるように、第１〜第３の各保護ダクトＤ1 〜Ｄ3 の各ベース体Ｖ1 〜Ｖ3 に対してそれぞれカバー体Ｌ1 〜Ｌ3 を組み付け、その後に、傾斜配管アダプタＡ0 のベース体Ｖ0 及び異高アダプタＡ5 のベース体Ｖ5 に対してそれぞれカバー体Ｌ0 ，Ｌ5 を組み付け、最後に、Ｔ字ダクト継手Ｊ4 のベース体Ｖ4 に対してカバー体Ｌ4 を組み付ける。Ｔ字ダクト継手Ｊ4 のカバー体Ｌ4 は、傾斜配管アダプタＡ0 のカバー体Ｌ0 の大きなサイズの接続片５５及び異高アダプタＡ5 のカバー体Ｌ5 の大きなサイズの接続片３４にそれぞれ外嵌されて、外周面は無段差となっている（図１３参照）。なお、第１〜第３の各保護ダクトＤ1 〜Ｄ3 のカバー体Ｌ1 〜Ｌ3 の接続部では、当該カバー体Ｌ1 〜Ｌ3 の外側にＴ字ダクト継手Ｊ4 のカバー体Ｌ4 及び異高アダプタＡ5 のカバー体Ｌ5 が第１及び第２の各配管方向Ｑ1 ，Ｑ2 に沿って所定長だけ外嵌される（図１３参照）。
【実施例２】
【００５０】
実施例２の配管例が図１４及び図１５に示されている。実施例２の配管例は、実施例１の配管例において、Ｔ字ダクト継手Ｊ4 をなくして配管したものであって、第１保護ダクトＤ1 の上段のみに保持具Ｓを使用して２本の管Ｐ3 ，Ｐ4 が左右並列配管されて、第１保護ダクトＤ1 の一方の接続口Ｃ11を形成するカバー体Ｌ1 の端部は、傾斜配管アダプタＡ0 のカバー体Ｌ0 のサイズの小さな接続片５６に外嵌されて、サイズの大きな接続片５５との間で無段差となっている。傾斜配管アダプタＡ0 のベース体Ｖ0 に対して２本の管Ｐ3 ，Ｐ4 の各傾斜配管部Ｐ3a，Ｐ4aが固定具Ｆを介して固定される構成は、実施例１と同一である。
【００５１】
なお、実施例１，２は、いずれも傾斜配管アダプタＡ0 の下段側〔配管高さが（Ｈ1)の側〕は、管Ｐ3 ，Ｐ4 をそのまま直線配管させるために、直状の第２保護ダクトＤ2 に接続されているが、傾斜配管アダプタＡ0 の下段側において、管Ｐ3 ，Ｐ4 を壁面Ｗで屈曲させたり、或いは当該壁面Ｗを貫通させたりする場合には、それぞれに対応してダクト継手が前記傾斜配管アダプタＡ0 の下段側に接続される。
【実施例３】
【００５２】
実施例１の傾斜配管アダプタＡ0 のベース体Ｖ0 は、第１配管方向Ｑ1 に沿って連続した傾斜配管面Ｍを備えているが、当該傾斜配管面Ｍにおける管Ｐ3 ，Ｐ4 を傾斜配管させるために必要な部分は、第１及び第２の各固定面４６，４７の部分のみであって、他の部分はなくても、傾斜配管可能である。
【００５３】
従って、第１及び第２の各固定面４６，４７が形成された二つのブロック体が連結板部７１で連結されて、各ブロック体の間に空間部が形成された構成のベース体Ｖ0'と、前記カバー体Ｌ0 とから成る傾斜配管アダプタＡ0'であっても、傾斜配管が可能となる。
【００５４】
また、実施例１は、異なる高さで並列配管された計４本の管Ｐ1 〜Ｐ4 が上下二段配管されて、上段の２本の管Ｐ3 ，Ｐ4 の中心間距離Ｎ2 は、当該各管Ｐ3 ，Ｐ4 の外径（呼径）が他の２本の管Ｐ1 ，Ｐ2 の外径よりも小さいために、下段の２本の管Ｐ1 ，Ｐ2 の中心間距離Ｎ1 よりも短くなっているために、第２保護ダクトＤ2 の部分においてクリップ１３を使用している。しかし、異なる高さで並列配管した計４本の管を上下二段に配管する場合において、各管の外径が同一の場合には、上下の各段で並列配管された２本の管の中心間距離は、互いに等しくなり、このような二段配管もあり得る。
【００５５】
また、実施例１の「二段配管」は、並列配管された２本の管が上下二段に配管された例であるが、単管配管された２本の管を上下二段に配管する例もあり得り、「二段配管」の態様は、種々存在する。
【００５６】
また、側面視でわん曲されることにより「二段配管」の上段から下段に「単段配管」される配管材の長さは、当然に有限であるために、本発明における「傾斜配管される配管材」とは、ストレート状の管継手を介して２本の配管材が接続されるものを含む。例えば、実施例１においては、「傾斜配管される２本の配管材」がストレート状の管継手を介して接続されている場合には、当該管継手は、ダクト継手Ｊ4 の内部に配置されるように配管される場合が多い。
【符号の説明】
【００５７】
Ａ0,Ａ0'：傾斜配管アダプタ
Ｃ01：傾斜配管アダプタの第１接続口
Ｃ02：傾斜配管アダプタの第２接続口
Ｄ1 ：第１保護ダクト
Ｄ2 ：第２保護ダクト
Ｆ：固定具
Ｈ1 ：下段の管の配管高さ
Ｈ2 ：上段の管の配管高さ
Ｊ4 ：Ｔ字ダクト継手（ダクト継手）
Ｋ0 ：傾斜配管アダプタの管収容空間
Ｌ0,Ｌ1 〜Ｌ5 ：カバー体
Ｎ0 ：管の傾斜配管部の長さ
Ｐ1 ：給水管（本管用）〔配管材〕
Ｐ2 ：給湯管（本管用）〔配管材〕
Ｐ3,Ｐ4 ：管（追焚用）〔配管材〕
Ｐ3a, Ｐ4a：管の傾斜配管部
Ｑ1 ：第１配管方向
Ｑ2 ：第２配管方向
Ｓ：保持具
Ｖ0,Ｖ0', Ｖ1 〜Ｖ5 ：ベース体
Ｔ1 ：保護ダクトの第１保持部
Ｔ2 ：保持具の第２保持部
Ｗ：壁面
θ0 ：管の傾斜配管部の傾斜角度
２１：保持具の差込板部
４６：傾斜配管アダプタのベース体の第１固定面
４７：傾斜配管アダプタのベース体の第２固定面
６１：固定具の固定本体部
６１ａ：固定本体部の底面
６１ｂ：固定本体部のテーパー面
６２：固定具の管押え片（配管材押え片）
６３：固定具のビス挿通孔
【図１】
0005795982.tif 000002
【図２】
0005795982.tif 000003
【図３】
0005795982.tif 000004
【図４】
0005795982.tif 000005
【図５】
0005795982.tif 000006
【図６】
0005795982.tif 000007
【図７】
0005795982.tif 000008
【図８】
0005795982.tif 000009
【図９】
0005795982.tif 000010
【図１０】
0005795982.tif 000011
【図１１】
0005795982.tif 000012
【図１２】
0005795982.tif 000013
【図１３】
0005795982.tif 000014
【図１４】
0005795982.tif 000015
【図１５】
0005795982.tif 000016
【図１６】
0005795982.tif 000017